(57)【要約】【課題】  表示部に取り付けられるスピーカ装置を１つのユニットとして構成し、また、音質の向上も図ることのできる電子機器及びスピーカ装置を提供すること。【解決手段】  電子機器１は、設置面上に載置可能な支持部３と、この支持部３に対して揺動可能に支持された表示部２と、この表示部２の正面方向に放音面を向けて表示部２に取り付けられたスピーカ装置２０とを備え、スピーカ装置２０は、複数のスピーカ本体２１ａ、２１ｂが１つの共通のキャビネット３０内に収容されて、表示部２の表示領域４よりも下方に配置されている。【選択図】        図１
2005080173.tif 000002
【特許請求の範囲】
【請求項１】
設置面上に載置可能な支持部と、
前記支持部に対して揺動可能に支持された表示部と、
前記表示部に取り付けられたスピーカ装置とを備えた電子機器であって、
前記スピーカ装置は、複数のスピーカ本体が１つの共通のキャビネット内に収容されて、前記表示部の表示領域よりも下方に配置されている
ことを特徴とする電子機器。
【請求項２】
前記表示部は、表示パネルと、その縁部を受ける枠部材とを有し、前記スピーカ装置を前記枠部材に沿設した
ことを特徴とする請求項１に記載の電子機器。
【請求項３】
前記キャビネットの内部空間を、個々の前記スピーカ本体ごとに仕切る隔壁が前記内部空間に形成されている
ことを特徴とする請求項１に記載の電子機器。
【請求項４】
前記キャビネットの正面部に、前記キャビネットの内部空間と連通しているバスレフ孔が開口されている
ことを特徴とする請求項１に記載の電子機器。
【請求項５】
前記バスレフ孔は、前記バスレフ孔より孔径の小さな多数の小孔が貫通して形成された多孔シートによって覆われている
ことを特徴とする請求項４に記載の電子機器。
【請求項６】
前記多孔シートと前記バスレフ孔との間に、通気性を有する布が介在されている
ことを特徴とする請求項５に記載の電子機器。
【請求項７】
前記キャビネットと前記支持部とが接触しないように、前記表示部の下方が前記支持部に近づく方向への揺動を規制するストッパ部材が前記支持部に設けられている
ことを特徴とする請求項１に記載の電子機器。
【請求項８】
設置面上に載置可能な支持部と、
前記支持部に対して揺動可能に支持された表示部と、
前記表示部に取り付けられたスピーカ装置とを備えた電子機器であって、
前記スピーカ装置は、複数のスピーカ本体が１つの共通のキャビネット内に収容されて、前記表示部の表示領域よりも上方に配置されている
ことを特徴とする電子機器。
【請求項９】
前記表示部は、表示パネルと、その縁部を受ける枠部材とを有し、前記スピーカ装置を前記枠部材に沿設した
ことを特徴とする請求項８に記載の電子機器。
【請求項１０】
前記キャビネットの内部空間を、個々の前記スピーカ本体ごとに仕切る隔壁が前記内部空間に形成されている
ことを特徴とする請求項８に記載の電子機器。
【請求項１１】
前記キャビネットの正面部に、前記キャビネットの内部空間と連通しているバスレフ孔が開口されている
ことを特徴とする請求項８に記載の電子機器。
【請求項１２】
前記バスレフ孔は、前記バスレフ孔より孔径の小さな多数の小孔が貫通して形成された多孔シートによって覆われている
ことを特徴とする請求項１１に記載の電子機器。
【請求項１３】
前記多孔シートと前記バスレフ孔との間に、通気性を有する布が介在されている
ことを特徴とする請求項１２に記載の電子機器。
【請求項１４】
設置面上に載置される支持部に対して揺動可能に支持された表示部に取り付けられるスピーカ装置であって、
複数のスピーカ本体と、
前記表示部の表示領域よりも下方に配置され、前記複数のスピーカ本体が収容される１つの共通のキャビネットとを有する
ことを特徴とするスピーカ装置。
【請求項１５】
前記キャビネットの内部空間を、個々の前記スピーカ本体ごとに仕切る隔壁が前記内部空間に形成されている
ことを特徴とする請求項１４に記載のスピーカ装置。
【請求項１６】
前記キャビネットの正面部に、前記キャビネットの内部空間と連通しているバスレフ孔が開口されている
ことを特徴とする請求項１４に記載のスピーカ装置。
【請求項１７】
前記バスレフ孔は、前記バスレフ孔より孔径の小さな多数の小孔が貫通して形成された多孔シートによって覆われている
ことを特徴とする請求項１６に記載のスピーカ装置。
【請求項１８】
前記多孔シートと前記バスレフ孔との間に、通気性を有する布が介在されている
ことを特徴とする請求項１７に記載のスピーカ装置。
【請求項１９】
設置面上に載置される支持部に対して揺動可能に支持された表示部に取り付けられるスピーカ装置であって、
複数のスピーカ本体と、
前記表示部の表示領域よりも上方に配置され、前記複数のスピーカ本体が収容される１つの共通のキャビネットとを有する
ことを特徴とするスピーカ装置。
【請求項２０】
前記キャビネットの内部空間を、個々の前記スピーカ本体ごとに仕切る隔壁が前記内部空間に形成されている
ことを特徴とする請求項１９に記載のスピーカ装置。
【請求項２１】
前記キャビネットの正面部に、前記キャビネットの内部空間と連通しているバスレフ孔が開口されている
ことを特徴とする請求項１９に記載のスピーカ装置。
【請求項２２】
前記バスレフ孔は、前記バスレフ孔より孔径の小さな多数の小孔が貫通して形成された多孔シートによって覆われている
ことを特徴とする請求項２１に記載のスピーカ装置。
【請求項２３】
前記多孔シートと前記バスレフ孔との間に、通気性を有する布が介在されている
ことを特徴とする請求項２２に記載のスピーカ装置。
【発明の詳細な説明】
【技術分野】
【０００１】
本発明は、スピーカ装置が一体的に取り付けられた表示部を備えた電子機器及び表示部に取り付けられるスピーカ装置に関し、更に詳しくは、スピーカ装置を１つのユニットとして構成すると共に表示部に対する取付位置を工夫した電子機器及びスピーカ装置に関する。
【背景技術】
【０００２】
従来より、例えばデスクトップ型コンピュータの表示部が支持部に対して揺動自在に支持され、その傾き角度が自在に変えられるようしたものが知られている（特許文献１参照）。この特許文献１では、表示部は、本体部やキーボードとはケーブル接続される。
【特許文献１】特開２０００−２４２３６３号公報
【０００３】
また、本出願人は、特願２００２−３６９７６６号の特許出願において、表示部と、本体部と、キーボードとを一体化した電子機器を提案している。この場合にも、表示部は支持部を兼ねる本体部に揺動自在に支持され、その傾き角度が変えられるようになっている。
【発明の開示】
【発明が解決しようとする課題】
【０００４】
上述した２つの従来例では、何れも表示部の表示領域の左右の両脇にそれぞれ別体のスピーカ装置を具備させてステレオ再生を実現している。しかし、このような構成では、スピーカ本体を収容するキャビネットを左右のスピーカ装置でそれぞれ別に用意する必要があり、それらキャビネットを表示部に組み付けるためのねじなども含めて部品点数の増大を来す。
【０００５】
また、表示部への組み付け作業に際しても、左右のスピーカ装置からそれぞれ引き出されるケーブルを回路基板などに接続させるための引き回し作業も含めて、左右のスピーカ装置で同じ作業を繰り返すことになるので作業者に負担となったり、生産効率も悪い。
【０００６】
また、特に表示部の背面側に本体部を一体的に備えた電子機器においては、表示部の左右にはスピーカ装置配置のためのスペースが十分に確保できないという問題がある。これは、本体部の側面にディスク装置や各種メモリカードのスロット、あるいは各種コネクタが設けられることが多く、表示部の左右に取り付けたスピーカ装置の奥行き寸法を大きくしてしまうと、ディスク装置のトレーの引き出しや、メモリカードのスロットに対する抜き差し、更にはコネクタに対するケーブルなどの抜き差しの障害になってしまうからである。
【０００７】
このため、表示部の左右にスピーカ装置を取り付ける構成では、キャビネット内部空間の容積の増大化が難しく、内部空間で響かせて出力させる音に関して低音域の拡大が図れない。
【０００８】
本発明は上述の問題に鑑みてなされ、その目的とするところは、表示部に取り付けられるスピーカ装置を１つのユニットとして構成し、また、音質の向上も図ることができる電子機器及びスピーカ装置を提供することにある。
【課題を解決するための手段】
【０００９】
本発明の電子機器は、支持部と、この支持部に対して揺動可能に支持された表示部と、この表示部に取り付けられたスピーカ装置とを備え、スピーカ装置は、複数のスピーカ本体が１つの共通のキャビネット内に収容されて、表示部の表示領域よりも下方に配置されていることを特徴としている。
【００１０】
また、本発明の電子機器は、支持部と、この支持部に対して揺動可能に支持された表示部と、この表示部に取り付けられたスピーカ装置とを備え、スピーカ装置は、複数のスピーカ本体が１つの共通のキャビネット内に収容されて、表示部の表示領域よりも上方に配置されていることを特徴としている。
【００１１】
また、本発明のスピーカ装置は、複数のスピーカ本体と、設置面上に載置される支持部に対して揺動可能に支持された表示部の表示領域よりも下方に配置され、複数のスピーカ本体が収容される１つの共通のキャビネットとを有することを特徴としている。
【００１２】
また、本発明のスピーカ装置は、複数のスピーカ本体と、設置面上に載置される支持部に対して揺動可能に支持された表示部の表示領域よりも上方に配置され、複数のスピーカ本体が収容される１つの共通のキャビネットとを有することを特徴としている。
【００１３】
上記支持部は設置面上に安定して載置されて表示部が倒れないように支える。この支持部に対して表示部は揺動自在に取り付けられ、使用者にとって最適な視認角度に表示部の傾き角度を調整できる。
【００１４】
表示部にはスピーカ装置が一体的に取り付けられており、本発明の電子機器では、複数のスピーカ本体を１つの共通なキャビネット内に収容したうえで、そのキャビネットを表示部の表示領域の下方または上方に配置させている。
【００１５】
スピーカ装置を表示領域の下方または上方に配置させたのは、スピーカ装置によって表示領域の視認が妨げられてしまうのを防ぐことはもちろんであるが、そのことによって、キャビネット内に収容される複数（例えば左右のステレオ再生用の２つの）のスピーカ本体を、表示部の横方向に沿って互いに両端側に離して配置すれば、スピーカ装置を１つのキャビネットを用いて１ユニット化しても、表示部の左右どちら一方からしか音が偏って聞こえないということを回避でき、良好なステレオの音を聴者に届かせることができる。
【００１６】
また、そのステレオ出力を良好に行うためには、キャビネットの内部空間を、個々のスピーカ本体ごとに仕切る隔壁をキャビネットの内部空間に形成することが好ましい。このようにすれば、個々のスピーカ本体から出力された音がキャビネットの内部空間で互いに干渉し合うことが防げる。
【００１７】
各スピーカ本体は、例えばコーン紙などの振動体を有し、その振動体が振動することで音を発生する。キャビネットは、スピーカ本体をほこりや水分などから保護する機能はもちろん、振動体の前後での音の打ち消しを抑制して音の発生効率の低下を防いだり、放音面以外の方向への音もれを防いだりする。また、一般にスピーカ本体から音が出ているときには、スピーカ本体の振動体が振動しているだけでなくキャビネットも振動する。これは、キャビネットもある程度響かせることで音形成に貢献しているとも言える。
【００１８】
スピーカ装置は密閉型でも、バスレフ（bass reflex）型でもよい。バスレフ型は、キャビネットの内部空間と連通しているバスレフ孔がキャビネットに開口され、そのバスレフ孔を介してキャビネットの内部空間で響いた音が外部に出力され、同容積の密閉型に比べて低音再生周波数の限界を広げることができる。
【００１９】
表示部を傾ける作業は、表示部を上下方向に挟むように表示部の上部と下部に手をかけてつかんで行われることが多い。このとき、バスレフ孔がキャビネットの下面部や背面部に開口していると表示部をつかんだ手の指先がバスレフ孔にかかり易くなり、そのバスレフ孔に過剰な力が作用してキャビネットを破損させるおそれがある。以上のことを考慮すると、バスレフ型のスピーカ装置において、バスレフ孔をキャビネットの正面部に開口することが好ましい。この場合には、バスレフ孔からの音の放音方向が表示部に向き合う使用者に向けられるので音のこもりも防げる。
【００２０】
また、バスレフ孔を、このバスレフ孔より孔径の小さな多数の小孔が貫通して形成された多孔シートによって覆えば、バスレフ孔を目立たなくすることができ、バスレフ孔をキャビネットの正面に開口した場合であっても見映えを気にすることなくバスレフ孔の孔径の設計を行える。バスレフ孔からの音は、多孔シートの多数の小孔を介して外部に出力される。
【００２１】
一般に、キャビネットに開口されるバスレフ孔は、スピーカ本体からの音をキャビネット外部に放音させる孔より小さく、バスレフ孔からほこりが入ってしまうとその除去が困難になる。そこで、上記多孔シートを用いた場合に、多孔シートとバスレフ孔との間に、通気性を有する布を介在させれば、バスレフ孔を通ってキャビネット内にほこりが入ってしまうことを防げる。
【００２２】
また、特に表示部の背面側にコンピュータの本体部として機能するマザーボードを備えたものにおいては、スピーカ装置を表示部の左右の両脇ではなく、上方または下方に配置させることで、そのマザーボードに実装されたディスク装置のトレーの開閉、あるいはマザーボードに実装されたコネクタに対するケーブルやメモリカードなどの接続を妨げない取付位置とすることができる。
【００２３】
これにより、スピーカ装置の取付スペースに関して制約を受けにくく、スピーカ装置の奥行き寸法を比較的大きくとれる。これは、キャビネットの内部空間の容積の増大につながり、内部空間で響かせて出力させる音に関して低音域の拡大が図れる。
【００２４】
また、スピーカ装置を、表示パネルの縁部を受ける枠部材に沿設すれば、その枠部材の撓みやねじれに対する強度を向上させる補強部材として機能させることもできる。すなわち、表示部の傾き角度を変える際には、表示部を上下に挟むように表示部の上部と下部を両手でつかんで傾けることが多く、このときに枠部材に撓みやねじれが生じやすくなるが、上記スピーカ装置が梁のように枠部材の上部または下部で横方向に沿ってわたされていれば、撓みやねじれを生じにくくすることができる。
【００２５】
また、スピーカ装置を表示領域よりも下方に配置した場合には、表示部の傾き角度との関係で以下のような利点がある。例えば机の上に電子機器が置かれ、椅子に腰掛けた標準的な座高を有する使用者が操作する場合、エルゴノミクス（疲れずに快適に仕事を行うための科学的な法則）を考慮すると、一般に表示部の画面（例えば、１５インチ、１７インチなどの通常良く用いられるサイズを有する）の傾き角度（設置面の鉛直線と画面とのなす角）を約２５゜〜３０゜程度にすると、使用者の目や首にかかる負担を軽くできるとされている。
【００２６】
表示部が、このエルゴノミクスを考慮した傾き角度とされた状態では、表示部の下方にスピーカ装置があれば、設置面で反射される音も含めて、ちょうど椅子に腰掛けた使用者の耳の位置に音を向かわせることができる。
【００２７】
また、大人と、座高（身長）の低い子供とが一緒に使用する場合において、その下部にスピーカ装置が取り付けられた表示部を設置面に対して垂直あるいは垂直に近い状態とすれば、設置面で反射される音を大人の耳の位置に、スピーカ装置から直接放音される音を子供の耳の位置に向かわせることができる。
【００２８】
スピーカ装置が表示部の下部に取り付けられた場合において、表示部が前方に倒れるように表示部の下方が支持部に近づく方向に揺動された際に、キャビネットが支持部に接触しないように表示部の揺動を規制するストッパ部材を設けることが好ましい。このようにすれば、キャビネットと支持部との接触を防いで、キャビネットからの振動が支持部に伝わって余計な響き（いわゆるビリツキ音）が形成されてしまうのを防げる。
【発明の効果】
【００２９】
本発明の電子機器によれば、表示部に取り付けられたスピーカ装置は、複数のスピーカ本体が１つの共通のキャビネット内に収容されて、表示領域よりも上方または下方に配置されているので、部品点数の低減や組み立て作業の負担を軽減でき、生産効率の向上やコストダウンが図れる。また、表示部の左右に取り付ける場合に比べてスピーカ装置の取付スペースの制約を受けず、その分キャビネットの内容積を大きくでき、出力音の低音域の拡大が図れ音質を向上できる。
【００３０】
本発明のスピーカ装置は、複数のスピーカ本体と、表示部の表示領域よりも下方または上方に配置され、複数のスピーカ本体が収容される１つの共通のキャビネットとを有するので、スピーカ装置を１つのユニットとして取り扱うことができ、部品管理、輸送の際の取り扱い、表示部への組み付け作業が容易になる。
【発明を実施するための最良の形態】
【００３１】
（電子機器の構成）
図１は本実施形態に係る電子機器１の正面図を、図２は側面図を示す。電子機器１は、例えば、表示部一体型のデスクトップ型コンピュータであり、表示部２と支持部３とスピーカ装置２０を備えている。
【００３２】
表示部２はその筐体の中に、例えば液晶を用いた表示パネル５を収容している。また、表示部２の筐体内には図示しない内部シャーシが配設され、その内部シャーシの前面は表示パネル５の背面を受けている。内部シャーシの背面には、この電子機器１の実質的な本体部として機能するマザーボードが取り付けられている。
【００３３】
そのマザーボードには、中央処理装置や、ディスク装置、半導体メモリ、各種コネクタ、その他各種部品が実装されている。
【００３４】
支持部３は、ベース部３ａとこのベース部３ａに立設されたスタンド部３ｂとからなる。ベース部３ａは設置面上に安定して載置され、スタンド部３ｂに取り付けられた表示部２が倒れないように支える。
【００３５】
ベース部３ａは、図８に示すように、その前端部側に突設された爪部９がスタンド部３ｂの前面部１７に形成された凹部１０に係合して位置決めされる。
【００３６】
スタンド部３ｂの内部には、ハードディスク装置や電源ユニットなどが収容されている。
【００３７】
表示部２は、図３、図８〜図１０に示すように、ヒンジ８を介して支持部３のスタンド部３ｂに対して揺動可能に支持されている。
【００３８】
ヒンジ８は、スタンド部３ｂにおける左右の側面部と前面部１７との境界部に例えばねじ止めにて固定されるブラケット１１と、表示部２の下端部における左右の両端に固定された軸部材１２と、スタンド部３ｂの前面部１７に例えばねじ止めにて取り付けられ上記軸部材１２の一部分が回動自在に嵌合している軸受け部材１３とを備えている。
【００３９】
スピーカ装置２０は、図１に示すように、表示部２において表示領域４から外れた下方に配置される。後述するように、スピーカ装置２０は、そのキャビネット３０が、表示パネル５の表示領域４の周囲に形成された縁部（非表示領域）を受ける枠部材３１に例えばねじ止めにて固定される。
【００４０】
（スピーカ装置の構成）
図４は、本実施形態に係るスピーカ装置２０の分解斜視図を示す。スピーカ装置２０は、前キャビネット３０ａと後キャビネット３０ｂとを組み合わせてなるキャビネット３０内に２個のスピーカ本体２１ａ、２１ｂを収容している。
【００４１】
前キャビネット３０ａは、スピーカ装置２０の正面部である長尺板状の前壁部３２と、この前壁部３２の上下左右の縁部に接続された上壁部、下壁部、左右の側壁部を有する。
【００４２】
前壁部３２において左右の両端部近傍には、スピーカ本体２１ａ、２１ｂから出力された音をキャビネット外部に放音するための円形の放音孔２４ａ、２４ｂがあけられている。両放音孔２４ａ、２４ｂは、前壁部３２を長尺方向に関して二等分する中心線ｃに関して対称な配置関係で形成されている。各放音孔２４ａ、２４ｂの孔径は、前壁部３２の短尺方向の寸法よりわずかに小さくされている。
【００４３】
各放音孔２４ａ、２４ｂの、中心線ｃ寄りの傍らにはバスレフ孔２２ａ、２２ｂが形成されている。各バスレフ孔２２ａ、２２ｂの孔径は放音孔２４ａ、２４ｂの孔径より小さく、例えば放音孔２４ａ、２４ｂの孔径の１／３程である。なお、各バスレフ孔２２ａ、２２ｂは、中心線ｃから遠い側の放音孔２４ａ、２４ｂの傍に形成してもよい。
【００４４】
前キャビネット３０ａの上壁部には、３つの凹部３３ａ〜３３ｃが形成されている。凹部３３ａはバスレフ孔２２ａの上に位置し、凹部３３ｃはバスレフ孔２２ｂの上に位置し、凹部３３ｂは両凹部３３ａ、３３ｃ間の中間位置（中心線ｃ）に位置している。
【００４５】
前キャビネット３０ａの前壁部３２と上壁部との境界部において、各凹部３３ａ、３３ｃの、中心線ｃ寄りの傍らには爪部３４が形成されている。各爪部３４は上壁部の上方に向けて突出している。
【００４６】
前キャビネット３０ａの下壁部において、凹部３３ｂに対応する位置（中心線ｃ位置）には、正面から見て半円状のくぼみ３５ａが形成されている。
【００４７】
各爪部３４形成位置の下方に相当する位置であり、前壁部３２と下壁部との境界部には、正面から見て半円状のくぼみ３６ａが形成され、そのくぼみ３６ａの底部にねじが通される貫通孔があけられている。
【００４８】
前キャビネット３０ａの下壁部において両端部側の部分は、段差が形成されて上壁部に向かってへこんでいる。また、左右の各側壁部と下壁部とが接続される下側２箇所の角部には、前壁部３２の表面よりもくぼんだくぼみ３７が形成され、そのくぼみ３７の底部にねじが通される貫通孔があけられている。
【００４９】
以上のように構成される前キャビネット３０ａは、例えばＡＢＳ（Acrylonitrile Butadiene Styrene）樹脂材料を射出成形して得られる。ＡＢＳ樹脂は、堅く、堅牢で優れた機械的性質を有し、また加工性にも優れている。
【００５０】
次に、図４、およびキャビネット３０の背面図である図５も参照して、後キャビネット３０ｂについて説明する。
【００５１】
後キャビネット３０ｂは、長尺板状の後壁部４２と、この後壁部４２の上下左右の縁部に接続された上壁部、下壁部、左右の側壁部を有する。
【００５２】
後キャビネット３０ｂの上壁部には、上記前キャビネット３０ａの上壁部に形成された３つの凹部３３ａ〜３３ｃに対応させて、３つの凹部３８ａ〜３８ｃが形成されている。前キャビネット３０ａと後ろキャビネット３０ｂとが組み合わされると、凹部３３ａと凹部３８ａとが整列されてキャビネット３０の上壁部に凹部３９（図１、５参照）を形成し、凹部３３ｂと凹部３８ｂとが整列されてキャビネット３０の上壁部に凹部４０（図１、５参照）を形成し、凹部３３ｃと凹部３８ｃとが整列されてキャビネット３０の上壁部に凹部４１（図１、５参照）を形成する。
【００５３】
後キャビネット３０ｂの下壁部において、長尺方向に関しての中央には、上記前キャビネット３０ａの下壁部に形成されたくぼみ３５ａに対応させて、半円状のくぼみ３５ｂが形成されている。前キャビネット３０ａと後ろキャビネット３０ｂとが組み合わされると、両前後キャビネット３０ａ、３０ｂのくぼみ３５ａ、３５ｂが互いに整列されてキャビネット３０の下壁部にくぼみ３５（図１、５参照）を形成する。
【００５４】
図５に示すように、後壁部４２の背面には、一端部がくぼみ３５に接続され、上壁部との境界部に向けて斜めに延在する凹所４３が形成されている。この凹所４３は、キャビネット３０内に収容されたスピーカ本体２１ａ、２１ｂから延びるケーブル４４ａ、４４ｂの引き出しに用いられる。
【００５５】
図４に示すように、後壁部４２の内面には、くぼみ３５ｂを挟むようにして２つの隔壁４５が立設されている。これら隔壁４５によって、前後のキャビネット３０ａ、３０ｂが組み合わされると、スピーカ本体２１ａを収容した空間と、スピーカ本体２１ｂを収容した空間とが隔壁４５によって仕切られる。
【００５６】
また、各隔壁４５には切欠き４５ａが形成されている。各スピーカ本体２１ａ、２１ｂに接続されたケーブル４４ａ、４４ｂは、切欠き４５ａを通され、更にくぼみ３５に形成された貫通孔（図示せず）を介してキャビネット３０の外部に導出され、上述したマザーボードに接続される。
【００５７】
図５に示すように、後壁部４２の背面において両端部側の部分は、段差が形成されて紙面の裏側に向けてへこんでいる。更に、その各両端部４６の上下には切欠きが形成され、両端部４６の上方部分は両端部４６よりも更に紙面の裏側に向けてへこんでおり、両端部４６の下方部分には傾斜面４８が形成されている。
【００５８】
後キャビネット３０ｂにおいて、左右の各側壁部と傾斜面４８とが接続される下側２箇所の角部には、傾斜面４８の表面よりくぼんだくぼみ４９が形成され、そのくぼみ４９の底部にねじが通される貫通孔があけられている。
【００５９】
図５に示すように、後壁部４２には両端部４６に形成されたものも含めて全部で７個のねじ止め用の凹部５０ａ〜５０ｇが形成され、各凹部５０ａ〜５０ｇは図４に示すように、後壁部４２の内面側にボス部として突出している。各凹部５０ａ〜５０ｇにはねじが通される貫通孔が形成されている。
【００６０】
以上のように構成される後ろキャビネット３０ｂは、前キャビネット３０ａと同様、例えばＡＢＳ樹脂材料を射出成形して得られる。
【００６１】
スピーカ装置２０は、上述した前後のキャビネット３０ａ、３０ｂが合わされて形成される内部空間に、２個のスピーカ本体２１ａ、２１ｂと、２個のダクト２３ａ、２３ｂを収容して構成される。前後のキャビネット３０ａ、３０ｂは、後キャビネット３０ｂの後壁部４２の背面側から各凹部５０ａ〜５０ｇの貫通孔にねじが通され、そのねじが前キャビネット３０ａの前壁部３２内面に突設された図示しないボス部に形成されたねじ孔にねじ込まれることで、前後のキャビネット３０ａ、３０ｂは互いに組み付けられる。
【００６２】
スピーカ本体２１ａはその放音面を、前キャビネット３０ａに形成された放音孔２４ａに臨ませてキャビネット３０内に内蔵される。スピーカ本体２１ｂはその放音面を、前キャビネット３０ａに形成された放音孔２４ｂに臨ませてキャビネット３０内に内蔵される。
【００６３】
ダクト２３ａの一端部はバスレフ孔２２ａに接続され、他端部は、隔壁４５によってスピーカ本体２１ｂの収容空間と仕切られたスピーカ本体２１ａの収容空間に連通している。ダクト２３ｂの一端部はバスレフ孔２２ｂに接続され、他端部は、隔壁４５によってスピーカ本体２１ａの収容空間と仕切られたスピーカ本体２１ｂの収容空間に連通している。
【００６４】
このようなスピーカ装置２０は、図１に示すように、表示パネル５の縁部を受ける枠部材３１に固定される。具体的には、枠部材３１の下部には放音孔２４ａ、２４ｂ、およびバスレフ孔２２ａ、２２ｂに対応した円形の貫通孔５１、５２が形成されたスピーカ取付部５３が形成されており、このスピーカ取付部５３の内面にスピーカ装置２０は、放音孔２４ａ、２４ｂを貫通孔５１に一致させ、且つバスレフ孔２２ａ、２２ｂを貫通孔５２に一致させてねじ止めされる。
【００６５】
更に具体的には、前キャビネット３０ａの凹部３７、３６ａ、３６ａ、３７に形成された貫通孔と、後キャビネット３０ｂの凹部４９、５０ｇ、５０ｆ、４９に形成された貫通孔とがそれぞれ一致されて得られる貫通孔５４ａ〜５４ｄ（図１参照）に、キャビネット３０の後壁部４２側からねじが通されて、枠部材３１のスピーカ取付部５３内面に突設されたボス部（図示せず）にそのねじが締結される。なお、貫通孔５４ａ、５４ｄに通されるねじは、枠部材３１と表示部２との固定にも用いられる共締め用のねじとなっている。
【００６６】
以上のようにスピーカ装置２０が取り付けられた枠部材３１は表示部２の筐体に例えばねじ止めにて取り付けられる。枠部材３１において、スピーカ装置２０に形成された３つの凹部３９〜４１に対応する箇所には、内方に向けて突出する爪部（図示せず）が形成されており、この爪部を図８に示される表示部２の筐体に形成された孔５５の下縁部に引っかけることで枠部材３１は表示部の筐体に位置決めされる。
【００６７】
したがって、スピーカ装置２０のキャビネット３０の凹部３９〜４１は、枠部材３１に形成された上記爪部の内方への突出を妨げないために設けられている。
【００６８】
枠部材３１が表示部２の筐体に取り付けられると、枠部材３１の下部に固定されたスピーカ装置２０は、図８に示すスタンド部３ｂの前面部１７の前方に位置される。
【００６９】
キャビネット３０の後壁部４２の背面はスタンド部３ｂの前面部１７には接触せず、また後壁部４２の背面に形成された切欠き１８（図５参照）が、ベース部３ａの爪部９とスタンド部３ｂの凹部１０との係合箇所（図８参照）に位置されることで、スタンド部３ｂの前面部１７より突出している爪部９とキャビネット３０との干渉が回避されている。
【００７０】
また、キャビネット３０に形成された爪部３４は図８に示される表示部２の筐体に形成された孔５６の下縁部に当接され、これにより、キャビネット３０が正面側から押されてもキャビネット３０の背面がスタンド部３ｂの前面部１７にぶつからないように規制することができる。
【００７１】
また、キャビネット３０の後壁部４２の背面において、その両端部４６の上下の部分が切り欠かれて他の部分より薄くされていることで、図８に示される、ヒンジ８の軸受け部材１３とキャビネット３０とがぶつかること、及びブラケット１１の下端部がねじ止めされるベース部３ａの膨出部５７とキャビネット３０とがぶつかることを防ぐことができる。
【００７２】
また、枠部材３１のスピーカ取付部５３の表面には、図６及びその［Ａ］−［Ａ］線方向の断面図である図７に示される多孔シート６が貼り付けられる。
【００７３】
多孔シート６は例えばポリフェニレンエーテルからなり、バスレフ孔２２ａ、２２ｂよりも十分に小さな多数の小孔が密に形成されている。例えば、孔径が０．５ｍｍの多数の小孔が、０．９ｍｍピッチで形成されている。
【００７４】
この多孔シート６は接着シート５８を介して枠部材３１のスピーカ取付部５３表面に貼り付けられる。接着シート５８にはキャビネット３０に形成された放音孔２４ａ、２４ｂに対応した円形の貫通孔５８ａ、およびバスレフ孔２２ａ、２２ｂに対応した円形の貫通孔５８ｂが形成されており、放音孔２４ａ、２４ｂ及びバスレフ孔２２ａ、２２ｂを塞いではおらず、それら孔から外部への音の放出を妨げないようになっている。
【００７５】
このように、キャビネット３０の正面側が、多孔シート６によって覆われれば、外部への音の放出を妨げることなく、放音孔２４ａ、２４ｂやバスレフ孔２２ａ、２２ｂを目立たなくすることができ、見映えを気にすることなくそれら孔径の設計自由度が高まる。
【００７６】
また、多孔シート６と接着シート５８との間には、通気性を有する例えばナイロン製の布５９が介在されており、これによって多孔シート６に形成された多数の小孔の孔径より小さなほこりなどが接着シート５８に形成された貫通孔５８ａ、５８ｂを通じてキャビネット３０内に入ってくるのを防ぐことができる。
【００７７】
本実施形態では上述したように、スピーカ装置２０を表示部２の表示領域４よりも下方に配置させたので、２つのスピーカ本体２１ａ、２１ｂを、表示部２の横方向に沿って互いに両端側に離して配置すれば、スピーカ装置２０を１つのキャビネット３０を用いて１ユニット化しても、表示部２の左右どちら一方からしか音が偏って聞こえないということを回避でき、良好なステレオの音を聴者に届かせることができる。
【００７８】
また、キャビネット３０の内部空間が２つの隔壁４５によって、個々のスピーカ本体２１ａ、２１ｂごとに仕切られているので、個々のスピーカ本体２１ａ、２１ｂから出力された音がキャビネット３０の内部空間で互いに干渉し合うことが防げ、良好なステレオ再生を行える。
【００７９】
また、各隔壁４５に形成された切欠き４５ａは、各スピーカ本体２１ａ、２１ｂからのケーブル４４ａ、４４ｂを、くぼみ３５に形成された貫通孔（図示せず）を介してキャビネット３０の外部に導出するために通すものであるが、この切欠き４５ａによって両スピーカ本体２１ａ、２１ｂの収容された空間の隔離が不十分になるのを防ぐため隔壁４５を２重にしている。もちろん、１重、あるいは３重以上であってもよい。
【００８０】
また、キャビネット３０が１つになることで、このキャビネット３０から導出される上記ケーブル４４ａ、４４ｂのキャビネット３０からの出口を１つにでき、ケーブル４４ａ、４４ｂのマザーボードへの接続の引き回しが容易になる。
【００８１】
また、スピーカ装置２０を表示部２の左右の両脇ではなく、下方に配置させることで、図２に示すように、表示部２の側面に設けられたディスク装置のトレー２６やメモリカードなどのスロット２７ａ、２７ｂよりもスピーカ装置２０は下方に位置され、スピーカ装置２０の奥行き寸法を表示部２の左右の両脇に取り付けた場合に比べて大きくとれる。これは、キャビネット３０の内部空間の容積の増大につながり、内部空間で響かせて出力させる音に関して低音域の拡大が図れ音質を向上できる。
【００８２】
また、一般に、表示部２の傾き角度を変える際には、表示部２を上下に挟むように表示部２の上部と下部を両手でつかんで傾けることが多く、このときに枠部材３１に撓みやねじれが生じやすくなるが、上記スピーカ装置２０が梁のように枠部材３１の下部に横方向にわたされているので、上記撓みやねじれを生じにくくすることができる。
【００８３】
図９に示される表示部２（枠部材３１及びスピーカ装置２０が取り外された状態で図示されている）が、図示の状態から後方に倒れるように傾くと、図１０に示すように、表示部２の下端部背面に形成されたブラケット１６が、ヒンジ８のブラケット１１に形成されたストッパ片１１ａに当接して、それ以上の表示部２の後方への倒れが規制される。
【００８４】
逆に、図１０の状態から、図９に示される表示部２が設置面に対してほぼ垂直になった状態へ揺動されると、上記ブラケット１６の下部に一体的に形成された当接部１５が、スタンド部３ｂに固定されたストッパ部材１４に当接して、それ以上の表示部２の前方への倒れが規制される。ストッパ部材１４は、具体的にはスタンド部３ｂに螺着されたねじの頭部である。
【００８５】
これら当接部１５とストッパ部材１４との当接により表示部２の前方への倒れが規制された図９の状態では、表示部２の下方に取り付けられたスピーカ装置２０のキャビネット３０の背面と、スタンド部３ｂの前面部１７との間は約１ｍｍほどの間隙があくようにされている。
【００８６】
これにより、キャビネット３０とスタンド部３ｂとの接触を防いで、キャビネット３０からの振動がスタンド部３ｂに伝わって余計な響き（いわゆるビリツキ音）が形成されてしまうのを防げる。
【００８７】
また、スピーカ装置２０を表示部２の下方に配置した場合には、表示部２の傾き角度との関係で以下のような利点がある。例えば机の上に電子機器１が置かれ、椅子に腰掛けた標準的な座高を有する使用者が操作する場合、エルゴノミクス（疲れずに快適に仕事を行うための科学的な法則）を考慮すると、一般に、例えば、１５インチ、１７インチなどの通常良く用いられるサイズの表示領域４を有する表示部２の傾き角度（設置面の鉛直線と画面とのなす角）を約２５゜〜３０゜程度にすると、使用者の目や首にかかる負担を軽くできるとされている。
【００８８】
表示部２が、そのエルゴノミクスを考慮した傾き角度とされた状態で、表示部２の下方にスピーカ装置２０があれば、ちょうど椅子に腰掛けた使用者の耳の位置にスピーカ装置２０の音の出力方向を向けることができる。
【００８９】
あるいは、表示部２が垂直に近い状態であっても、スピーカ装置２０から音を設置面で反射させて使用者の耳の位置に向けさせることができる。
【００９０】
以上、本発明の実施形態について説明したが、勿論、本発明はこれに限定されることなく、本発明の技術的思想に基づいて種々の変形が可能である。
【００９１】
スピーカ装置２０は、図１１に示すように、表示部２の表示領域４よりも上方に配置してもよい。この場合には、ヒンジ８や支持部３との干渉を考慮しなくて済む設計ができる。更に、街頭や店頭などに設置してある電子機器などで、立ってその表示部を見るような場合には、表示部の上方にスピーカ装置を配置させた方が、放音方向を耳の高さに向けさせ易い。
【００９２】
また、左右の各スピーカ本体２１ａ、２１ｂを、例えば高音用と中音用に別に分けて全部で４個としてもよい。あるいは、スピーカ本体２１ａ、２１ｂに効果音や環境音を担当させ、両スピーカ本体２１ａ、２１ｂの中間位置に配設されたスピーカ本体でもって人のせりふなどを担当させるような３個のスピーカ本体からなる構成でもよい。もちろん、４個以上のスピーカ本体をキャビネット内に収容してもよい。
【００９３】
また、本発明に係るスピーカ装置は、コンピュータの本体部と一体的な表示部に限らず、その本体部と別体の表示部、更にはコンピュータ用の表示部に限らず、テレビジョン受信機の表示部に取り付けられるようにしてもよい。
【図面の簡単な説明】
【００９４】
【図１】本発明の実施形態に係る電子機器の正面図である。
【図２】同電子機器の側面図である。
【図３】図２における要部の拡大図である。
【図４】本実施形態に係るスピーカ装置の分解斜視図である。
【図５】同スピーカ装置の背面図である。
【図６】同スピーカ装置の正面側に張られる多孔シートの平面図である。
【図７】図６における［Ａ］−［Ａ］線方向の断面図である。
【図８】本実施形態に係る電子機器のヒンジ取付箇所を正面側から見た斜視図である。
【図９】同ヒンジ取付箇所を側面側から見た斜視図である。
【図１０】図９の状態から表示部が後方に倒れるように傾いた状態を示す図である。
【図１１】本発明の変形例による電子機器の正面図である。
【符号の説明】
【００９５】
１…電子機器、２…表示部、３…支持部、３ａ…ベース部、３ｂ…スタンド部、４…表示領域、５…表示パネル、６…多孔シート、８…ヒンジ、９…爪部、１０…凹部、１１…ブラケット、１１ａ…ストッパ片、１２…軸部材、１３…軸受け部材、１４…ストッパ部材、１５…当接部、１６…ブラケット、１７…前面部、２０…スピーカ装置、２１ａ，２１ｂ…スピーカ本体、２２ａ，２２ｂ…バスレフ孔、２３ａ，２３ｂ…ダクト、２４ａ，２４ｂ…放音孔、２６…ディスクトレー、２７ａ，２７ｂ…スロット、３０…キャビネット、３０ａ…前キャビネット、３０ｂ…後キャビネット、３１…枠部材、３２…前壁部、３３ａ〜３３ｃ…凹部、３４…爪部、３５，３５ａ，３５ｂ…くぼみ、３６ａ…くぼみ、３７…くぼみ、４２…後壁部、３８ａ〜３８ｃ…凹部、３９〜４１…凹部、４３…凹所、４４ａ，４４ｂ…ケーブル、４５…隔壁、４５ａ…切欠き、４６…両端部、４８…傾斜面、４９…くぼみ、５０ａ〜５０ｇ…凹部、５１，５２…貫通孔、５３…スピーカ取付部、５４ａ〜５４ｄ…貫通孔、５５，５６…孔、５８…接着シート、５８ａ，５８ｂ…貫通孔、５９…布。
【図１】
2005080173.tif 000003
【図２】
2005080173.tif 000004
【図３】
2005080173.tif 000005
【図４】
2005080173.tif 000006
【図５】
2005080173.tif 000007
【図６】
2005080173.tif 000008
【図７】
2005080173.tif 000009
【図８】
2005080173.tif 000010
【図９】
2005080173.tif 000011
【図１０】
2005080173.tif 000012
【図１１】
2005080173.tif 000013